(57)【要約】【課題】利用者の嗜好に合った情報のみ配信するプル方式情報配信システムを提供する。【解決手段】広告代理店１は、広告・情報を収集し、情報配信センター２は、インターネット３を介して、モバイルインフラ網４に接続され、乗降客の個人情報を基に情報コンテンツを配信する。広告情報等の広告ディスプレイ（情報表示装置）５は、非接触カード受信機を内蔵する。乗降客６が、非接触カード内蔵の携帯端末を広告ディスプレイ５にかざすと、広告ディスプレイ５は、非接触カードと通信を行い乗降客の個人情報を取得する。乗降客７は、所持する携帯端末に情報配信センター２から電子メールにて情報を受け取り、閲覧し、添付のＵＲＬにアクセスして情報サービスを受けている。【選択図】      図１
2004355115.tif 000002
【特許請求の範囲】
【請求項１】
利用者の電子メールアドレスを含む個人情報を記録した非接触カードからの個人情報を受信する受信機を有する情報表示装置と、
前記受信機から前記個人情報及び情報表示装置の識別情報を受けて、ネットワークを介して前記利用者の電子メールアドレスに前記情報表示装置に関連した配信情報を送信する情報配信サーバと、
ネットワーク接続機能及び電子メール受信機能を有し、前記利用者の電子メールアドレスにて前記配信情報を受信する携帯端末とを備えることを特徴とするプル方式情報配信システム。
【請求項２】
前記情報表示装置が、公共交通機関の乗降駅近傍に設置されていることを特徴とする請求項１記載のプル方式情報配信システム。
【請求項３】
前記携帯端末が、ブラウザを備え、
前記情報配信サーバは、前記配信情報にＵＲＬを添付することを特徴とする請求項１又は２記載のプル方式情報配信システム。
【請求項４】
利用者の電子メールアドレスを含む個人情報を記録した非接触カードからの個人情報を受信する受信機を有する情報表示装置と、この情報表示装置に関連した情報を配信する情報配信サーバと、ネットワーク接続機能及び電子メール受信機能を有する携帯端末とを備えたシステムにおいて、
前記情報表示装置の受信機は、前記非接触カードから個人情報を受信し、
前記情報配信サーバは、前記受信機から前記個人情報及び情報表示装置の識別情報を受けて、ネットワークを介して前記利用者の電子メールアドレスに前記情報表示装置に関連した配信情報を送信し、
前記携帯端末は、前記利用者の電子メールアドレスにて前記配信情報を受信することを特徴とするプル方式情報配信方法。
【請求項５】
前記情報表示装置を、公共交通機関の乗降駅近傍に設置することを特徴とする請求項４記載のプル方式情報配信方法。
【請求項６】
前記携帯端末が、ブラウザを備え、
前記情報配信サーバが、前記配信情報にＵＲＬを添付することを特徴とする請求項４又は５記載のプル方式情報配信方法。
【発明の詳細な説明】
【０００１】
【発明の属する技術分野】
本発明は、利用者の個人情報を記録した非接触カードからの情報に基づき、利用者の所持する携帯端末に広告等の情報を配信するプル方式情報配信システムに関する。
【０００２】
【従来の技術】
近年、地域活性化を背景として人々が集中する鉄道沿線を中心とした情報発信が求められている。また、交通広告というカテゴリが広告媒体として古くから存在しており、駅において情報配信する価値が高いことがあげられる。
【０００３】
現在、鉄道沿線の活性化を狙い乗降客が所持する携帯電話、ＰＨＳ等の電子メール機能を持つ携帯端末に乗降駅の地域情報・広告情報等をプッシュ方式で自動配信するシステムがある。このシステムは、乗降客が駅の自動改札を通過すると自動改札機にて定期券に記録されている個人情報を取得・認識し、事前に情報配信サーバに登録されている情報をプッシュ方式にてその乗降客の携帯端末に向けて自動で配信している。
【０００４】
また、街頭広告にサーバとネットワークを介して接続された無線通信装置を取り付けておき、街頭広告の近くにいる消費者が携帯する無線接続機能を有する携帯端末に街頭広告に関する詳細な情報を発信する広告システムが開示されている（例えば、特許文献１参照）。
【０００５】
【特許文献１】
特開２００２−４４０４２号公報
【０００６】
【発明が解決しようとする課題】
しかしながら、広告・情報配信の効果を知るため、さらに、その効果を向上するために、広告・情報を閲覧する人々とのコミュニケーションにより、詳細な情報を伝達する必要があった。
【０００７】
またプッシュ方式システムの問題点として、情報を受け取る乗降客が必要としない情報を受け取る場合があり、さらに毎日同じ駅を利用する定期利用者にとって、駅を乗降する度に受け取る不必要な情報・変化に乏しい情報は、迷惑メールと同様の扱いをされかねない。その結果、乗降客に情報配信自体が拒否され、効果的に情報伝達し、広告効果を向上することができず、本来の狙いである沿線の活性化が実現できない。
【０００８】
そこで本発明は、既存のプッシュ方式システムの情報配信システムの問題点を解決して、利用者の嗜好に合った情報のみ配信するプル方式情報配信システムを提供することを目的とする。
【０００９】
【課題を解決するための手段】
上述の課題を解決するため、本発明は、利用者の電子メールアドレスを含む個人情報を記録した非接触カードからの個人情報を受信する受信機を有する情報表示装置と、前記受信機から前記個人情報及び情報表示装置の識別情報を受けて、ネットワークを介して前記利用者の電子メールアドレスに前記情報表示装置に関連した配信情報を送信する情報配信サーバと、ネットワーク接続機能及び電子メール受信機能を有し、前記利用者の電子メールアドレスにて前記配信情報を受信する携帯端末とを備えることを特徴とする。
【００１０】
以上の構成によって、利用者の嗜好に合った情報のみ配信することができる。
【００１１】
【発明の実施の形態】
次に、本発明の実施の形態について図面を参照して説明する。なお、請求項記載の情報配信サーバは、以下の実施形態では、複数のサーバにて機能実現するサーバシステムを意味するものとする。また、ネットワークはインターネットとする。
【００１２】
図１は、本発明のシステム構成を示す。広告代理店１は、情報コンテンツアグリゲータである。情報配信センター２は、情報配信サーバシステムを備え、インターネット３を介してモバイルインフラ網４に接続され、乗降客の個人情報におうじて情報コンテンツを配信する。広告情報等の広告ディスプレイ（情報表示装置）５は、非接触カード（ＲＦＩＤ）受信機を内蔵し、ＲＦＩＤと通信を行い乗降客の個人情報を取得する。乗降客６は、ＲＦＩＤ内蔵の携帯電話（ＰＨＳを含む）、ＰＤＡ（Ｐｅｒｓｏｎａｌ  Ｄｉｇｉｔａｌ  Ａｓｓｉｓｔａｎｔ）等の携帯端末を広告ディスプレイ５にかざしている。乗降客７の所持する携帯端末は、ブラウザを搭載してインターネット接続機能及び電子メール受信機能を有し、乗降客７は、情報配信センターから電子メールにて情報を受け取り、閲覧し、添付のＵＲＬ（Ｕｎｉｆｏｒｍ  Ｒｅｓｏｕｒｃｅ  Ｌｏｃａｔｏｒ）にアクセスして情報サービスを受けている。
【００１３】
図２は、情報配信センター２に設置された情報配信サーバシステムの構成を示す。情報制御サーバ２１は、乗降客データベース、各情報表示装置に対応する地域情報・広告情報等の配信情報データベースを有し、乗降客管理及び配信情報データの作成を行う。メールサーバ２２は、電子メール送受信の仲介を行う。ストリーミング情報配信サーバ２３は、映像・音楽等のストリーミング情報データベースを有し、ストリーミング情報の配信を行う。決済サーバ２４は、認証機能を有し、利用者の認証処理を行う。
【００１４】
配信形態としては、プッシュ方式と同様に乗降客の携帯端末等に向けて情報配信サーバ側より配信されるが、乗降客の嗜好に合った情報のみ配信する。プル方式広告配信システムの特長として、乗降客が所持する非接触カード（ＲＦＩＤ）内蔵の定期券又はＲＦＩＤ内蔵の携帯端末に事前に登録されている個人情報（電子メールアドレス等）を広告媒体に設置された受信機から読み取ることによって、情報配信サーバに事前登録されている情報を乗降客に対して配信する。
【００１５】
次に図３を参照して、本発明の処理手順を説明する。
【００１６】
図１に示す広告代理店１は、コンテンツアグリゲータの機能を有し、各駅の店舗情報、地域情報の情報コンテンツを取りまとめ（Ｓ１）、情報配信センター２に登録すると共に（Ｓ２）、広告ディスプレイ５のメンテナンスを行う（Ｓ３）。
【００１７】
乗降客が駅に設置される広告ディスプレイ５に興味を持ち、詳細情報を得たい場合、乗降客６のように、ＲＦＩＤ内蔵定期券又はＲＦＩＤ内蔵携帯端末を広告ディスプレイ５にかざす。定期券又は携帯端末を広告ディスプレイ５にかざした時に、広告ディスプレイ５は、乗降客６の定期券又は携帯端末内蔵のＲＦＩＤと通信を行い、ＲＦＩＤに登録されている個人情報（電子メールアドレス等）を取得する（Ｓ４）。
【００１８】
広告ディスプレイ５は、取得した個人情報と広告ディスプレイの識別番号をモバイルインフラ網４及びインターネット３を介して情報配信センター２に送付する（Ｓ５）。情報配信センター２は、個人情報および広告ディスプレイの識別番号に基づき、乗降客６のメールアドレスに広告ディスプレイの詳細内容を送信する（Ｓ６）。
【００１９】
乗降客７は、所持する携帯端末を用いて、電子メールで取得した広告ディスプレイに関連する詳細情報に添付されているＵＲＬにアクセスし（Ｓ７，Ｓ８）、ストリーミング情報・ＥＣ（Ｅｌｅｃｔｒｏｎｉｃ  Ｃｏｍｍｅｒｃｅ）番組（テレビ・映画の予告、ＣＭ、スポーツハイライト、ショッピング等）等のコンテンツを閲覧することができる（Ｓ９，Ｓ１０）。
【００２０】
本発明の広告ディスプレイの具体例として、鉄道、モノレール等の公共交通機関の乗降駅のコンコース、ホーム、駅周辺の広告と連動した道案内図の広告媒体等に、非接触カード（ＲＦＩＤ）と通信を行い、個人情報を読み取るＲＦＩＤの受信機を内蔵する。ＲＦＩＤ受信機は、広告の陰に位置し、表面上、乗降客からは見えない状態である。乗降客は、駅のコンコース、ホーム、駅周辺の地域情報・広告を見ることにより、その内容の詳細を知りたい時に、所持するＲＦＩＤ内蔵定期券又はＲＦＩＤ内蔵携帯端末を広告媒体にかざす。そして、受信した電子メール及び電子メールに添付されるＵＲＬにアクセスすることにより詳細内容を得ることができ、嗜好にあった情報だけを得ることができる。
【００２１】
特に電子メールに添付されるＵＲＬにアクセスすることにより、Ｗｅｂを利用した映像等のストリーミング情報、ＥＣ番組等のアプリケーションを使用することができ、地域情報、広告等の配信による効果が高くなる。
【００２２】
また、プル方式により情報にアクセスしてきた乗降客は、その情報にある程度興味を抱いていることから、ＥＣコンテンツに誘導することができる。
【００２３】
【発明の効果】
以上説明したように、本発明のプル方式情報配信システムによれば、利用者の嗜好に合った情報のみ配信することができるので、利用者に不要な情報を配信することがない。また、広告・情報配信のあて先となる個人情報を得ることができるため広告効果の測定ができる。
【００２４】
また配信した電子メールに添付のＵＲＬにより、さらに様々なＷｅｂアプリケーションによる情報サービスが提供できる。
【図面の簡単な説明】
【図１】本発明のシステム構成図である。
【図２】情報配信センターに設置されたサーバのシステム構成図である。
【図３】本発明の処理手順を説明するシーケンス図である。
【符号の説明】
１  広告代理店
２  情報配信センター
３  インターネット
４  モバイルインフラ網
５  広告ディスプレイ
６，７  乗降客
【図１】
2004355115.tif 000003
【図２】
2004355115.tif 000004
【図３】
2004355115.tif 000005